(57)【要約】【課題】  着氷雪の固着防止及び横滑り防止に好適な歩行路面滑り防止マットを提供するものである。【解決手段】  表面に滑り止めの多数の截頭円錐台形の凸部が形成され、さらに該凸部の上面に平面十字状の凸部が形成された弾性体からなるマット本体部を有する。滑り止めの多数の截頭円錐台形の凸部の傾斜角度が、水平面に対して３０°〜８５°であり、截頭円錐台形の凸部が格子状に配置された。マット本体部は表面ゴム層、中間スポンジ層および裏面ゴムシート層の３層からなる。【選択図】    図１
2005146785.tif 000002
【特許請求の範囲】
【請求項１】
上面に滑り止めの多数の截頭円錐台形の凸部が形成され、さらに前記凸部の上面に平面十字状の凸部が形成された弾性体からなるマット本体部を有することを特徴とする歩行路面滑り防止マット。
【請求項２】
前記截頭円錐台形の凸部の傾斜角度が、水平面に対して３０°〜８５°であることを特徴とする請求項１に記載の歩行路面滑り防止マット。
【請求項３】
前記截頭円錐台形の凸部が格子状に配置されたことを特徴とする請求項１または２に記載の歩行路面滑り防止マット。
【請求項４】
前記マット本体部は、表面ゴム層、中間スポンジ層および裏面ゴムシート層の３層からなることを特徴とする請求項１〜３のいずれか１項に記載の歩行路面滑り防止マット。
【請求項５】
弾性を備えた斜面部を有し、上面に滑り止めの多数の凹凸条部が形成され、さらに前記斜面部の上下後端に張出部が一体に形成されたテーパー形緩衝被覆部材を有することを特徴とする請求項１〜４のいずれか１項に記載の歩行路面滑り防止マット。
【請求項６】
前記マット本体部の裏面に設けた着脱用円盤止め具を有することを特徴とする請求項１に記載の歩行路面滑り防止マット。
【請求項７】
前記歩行路面滑り防止マットが階段用歩行路面滑り防止マットであることを特徴とする請求項１〜６のいずれか１項に記載の階段用歩行路面滑り防止マット。
【請求項８】
前記マット本体部と、弾性体の水平部と垂直部からなる略Ｌ字形断面形状を有し、水平部の上面に滑り止めの多数の凹凸条部が形成され、さらに前記水平部の上下後端に張出部が一体に形成された緩衝被覆部材と、上面に滑り止めの多数の凹凸条部を形成され、下後端に張出部を一体に形成された平形緩衝被覆部材と、前記マット本体部の裏面に設けた着脱用円盤止め具とから構成され、前記マット本体部の３側面を張出部が内側となるように略Ｌ字形断面形状の緩衝被覆部材の張出部と平形緩衝被覆部材の張出部とで接着したことを特徴とする請求項７に記載の階段用歩行路面滑り防止マット。
【発明の詳細な説明】
【技術分野】
【０００１】
本発明は、着氷雪の固着防止及び横滑り防止に好適な歩行路面滑り防止マットに関するものである。
【背景技術】
【０００２】
冬季の寒冷地では、歩行者が屋外の階段や段差のある道路等に付着して固化した氷雪でスリップし、転倒する事故が多く、社会問題となっている。このような転倒事故を防止するために、マット表面に多数のリブを平行して突設して各リブ間に頂部誘水溝を形成すると共に、各リブの頂部に稜線に沿い複数の滑り止めリブを突設した路面用防滑マット（特許文献１）や、凍結防止と滑り防止及び凍結層融解促進に好適な歩道用ゴムブロック（特許文献２）や、人工芝を階段や道路等に敷設したり、道路や床に電熱ヒータや温水パイプを埋め込み、融雪する方法などが採用されている。
【０００３】
しかしながら、路面用防滑マットや、人工芝を用いる方法では、積もった雪が固着してしまうと、表面が平滑な氷雪固着面となり、スリップ防止効果がほとんどなくなってしまう。
【０００４】
また、歩道用ゴムブロックは、ゴム粉砕物と結合材とを他の副資材とともに成形された一層のブロックで、凍結層の破砕可能な仕様として、ゴム粉砕物の粒径（０．５ｍｍ〜２ｍｍ）やゴムの硬さ（ＪＩＳ  Ａ（ＨS）６０〜９８（望ましくは７０〜９５））や凸部の高さ（２〜１０ｍｍ（望ましくは３〜８ｍｍ））や径または幅（１０〜５０ｍｍ（望ましくは１５〜３５ｍｍ））や凸部ピッチ（３０〜２００ｍｍ（望ましくは５０〜１５０ｍｍ））が制限されていた。それらの範囲以外であると、歩行の際不安定になり、凍結層の破砕が十分に行われ難い。
【０００５】
一方、電熱ヒータや温水パイプによる融雪は、転倒事故防止に極めて有効であるが、道路や床に電熱ヒータや温水パイプを埋め込むための工事費や、融雪に要する電気代等の維持管理費が高く、費用対効果の点で難点がある。
【０００６】
さらに、本出願人の提案した階段用歩行路面滑り防止マットは、図８に示すように、従来の階段用歩行路面滑り防止マットを階段に敷設した状態を示す主要部断面図である。
【０００７】
階段用歩行路面滑り防止マットは、表面ゴム層２、中間スポンジ層３および裏面ゴムシート層４の３層構造からなり、裏面ゴムシート４には着脱用の凸状部５’が設けられている。着脱用の凸状部５’は、表面ゴム層２から中間スポンジ層３と裏面ゴムシート層４を貫通するように設けている。
【０００８】
一方、階段８の踏み面には、凸状部５’と嵌合する凹状部９が設けられている。凸状部５’と凹状部９は、しっかりと嵌合するので、階段用着氷雪防止マットは階段８の踏み面に固定化される。凸状部５’と凹状部９は物理的に嵌合しているだけなので、階段用着氷雪防止マットの取り外しは容易である。
【０００９】
また、歩行者がマットに自重をかけた場合、マットの中間スポンジ層３が撓み、それにより氷を破砕し、マット表面から除去しやすくなり、階段用歩行路面滑り防止マットには、その氷を掃き出す効果がある。（特許文献３）
しかしながら、マットの表面凹凸条部２５が横溝形状であるので、マットを踏んだ靴は、溝に対して直角方向では溝のエッジで止まるが、溝に対して平行な方向、すなわち横方向では、滑りが発生しやすいという問題があった。
【００１０】
ところで、氷雪のない春から秋の期間は、歩行路面滑り防止用マットが不要となり、これを取り外さなければならないが、接着剤や両面粘着テープで固定した歩行路面滑り防止用マットを剥がすと、階段等の踏み面に歩行路面滑り防止用マットのスポンジが付着したり、接着剤や粘着テープが残ったりしていた。
【００１１】
したがって、従来の歩行路面滑り防止用マットは、その取り外しや階段等の踏み面から接着剤等を除去するのに、時間と費用がかかる欠点があった。
【００１２】
また、マットの表面凹凸条部の横溝が横に長く延長しているため、歩行者が自重をかけた場合、マット本体にかかる曲げ力と剪断力が横溝の長手方向に逃げるため、マット本体の撓みが弱くなり、固着した氷雪が厚いと割れないことがあった。
【００１３】
さらに、氷雪が取り除かれた場合でも上記と同様に、マット本体にかかる曲げ力と剪断力が横溝の長手方向に逃げるため、凹凸条部に入り込んだ氷雪は、凍結したままの平滑な状態であるので横方向に滑るという問題があった。
【００１４】
従来の略Ｌ字断面形状の階段角部緩衝被覆部材の表面凹凸条部は、長手方向に横溝（凹条）の深さも浅く、横溝の間隔も大きいため、横滑り防止には十分でなかった。
【００１５】
そして、従来の略Ｌ字断面形状の階段角部緩衝被覆部材の垂直部の厚さが８ｍｍもあり、あまり厚いと階段からの出っ張りが大きくなり、歩行者が先端に足をかけると略Ｌ字断面形状の階段角部緩衝被覆部材とマット本体部の接着部が剥がれてしまう恐れがあった。さらに階段を上っていく時に足の先端が垂直部下に引っかけて転倒することもあった。
【特許文献１】特開平８−１０５００５号
【特許文献２】特開平１１−２２２８０２号
【特許文献３】登録実用新案第３０３８１２６号
【発明の開示】
【発明が解決しようとする課題】
【００１６】
本発明が解決しようとする課題は、上記従来技術の欠点を解消し、着氷雪の固着防止及び横滑り防止に好適な歩行路面滑り防止マットを提供することである。
【課題を解決するための手段】
【００１７】
これらの問題点を解決すべく本発明者が鋭意研究を重ねた結果、従来の歩行路面滑り防止マットの表面形状等を改良することにより、上記課題を解決できることを見出し、本発明を完成するに至った。
【００１８】
すなわち、本発明の歩行路面滑り防止マットは、上面に滑り止めの多数の截頭円錐台形の凸部が形成され、さらに前記凸部の上面に平面十字状の凸部が形成された弾性体からなるマット本体部を有することを特徴とする。
【００１９】
弾性体からなるマット本体部と、マット本体部の表面に滑り止めの多数の截頭円錐台形の凸部を設けることにより、固着した氷や雪が割れやすくなり、さらには雨降りの時もマットの撓みが大きくなり、水をはじき出して滑り防止を発揮した。
【００２０】
人がマット本体の表面にある平面十字状の凸部を踏むと、体重による荷重で、十字状の凸部が、截頭円錐台形の凸部を介して、さらにスポンジ層を下に押し下げる力が働き、マットの撓みがさらに大きくなる。
【００２１】
そして、マット本体にかかる曲げ力と剪断力によって、截頭円錐台形の凸部間に入って凍結固着した氷や雪が破砕され、截頭円錐台形の凸部のテーパー面に沿って押し出される。撓んだマットと荷重のかかっていない撓んでいないマットと間に、表面に斜めの隙間部分ができ、その隙間部分に平面十字状の凸部があたり、横滑りを大きく押さえ込むことができた。また、十字状の凸部は、滑り止めのストッパーの働きもする。
【００２２】
本発明の第二の構成は、上述の第一の構成において、前記滑り止めの多数の截頭円錐台形の凸部の傾斜角度が、水平面に対して３０°〜８５°であることを特徴とする。
【００２３】
すなわち、歩行路面滑り防止マットの滑り止めの多数の截頭円錐台形の凸部の傾斜角度は、水平面に対して３０°〜８５°にすることが望ましい。さらに、好ましくは４０°〜７０°がよい。
【００２４】
截頭円錐台形の凸部の傾斜角度が水平面に対して３０°未満であると凸部の傾斜が緩やかになり靴との引っかかりが少なくなり、また、８５°を越えるとマット表面の氷雪を箒等で取り除くときに抵抗となり、完全に氷雪を取り除くことができない。
【００２５】
本発明の第三の構成は、第一または第二の構成において、前記截頭円錐台形の凸部が格子状に配置されたことを特徴とする。
【００２６】
本発明の第四の構成は、第三の構成において、前記マット本体部は表面ゴム層、中間スポンジ層および裏面ゴムシート層の３層からなることを特徴とする。
【００２７】
マット本体部を、表面ゴム層、中間スポンジ層および裏面ゴムシート層の３層構造にすることにより、衝撃を和らげるクッション性があり、歩行者がマットを踏んで歩く場合にも、歩きづらくならず、足首に負担がかからなくなる。また、マット本体がよく撓み、氷や雪が砕けやすい。
【００２８】
本発明の第五の構成は、第四の構成において、弾性体の斜面部を有し、上面に滑り止めの多数の凹凸条部が形成され、さらに前記斜面部の上下後端に張出部を一体に形成されたテーパー形緩衝被覆部材を有することを特徴とする。
【００２９】
本発明の第六の構成は、第五の構成において、前記マット本体部の裏面に設けた着脱用円盤止め具を有することを特徴とする。
【００３０】
マット本体部の裏面に着脱用円盤止め具を設けることによって、着脱用円盤止め具をあらかじめ埋め込んだネジにスライドさせ、掛止させるので、歩行路面滑り防止マットの取り付け及び取り外し等の着脱が容易となる。
【００３１】
本発明の第七の構成は、第六の構成において、前記歩行路面滑り防止マットが階段用歩行路面滑り防止マットであることを特徴とする。
【００３２】
歩行路面滑り防止マットを階段用歩行路面滑り防止マットに利用することによって、歩行路面滑り防止マットと同様な着氷雪の固着防止及び横滑り防止の効果が得られた。
【００３３】
本発明の第八の構成は、第七の構成において、前記マット本体部と、弾性体の水平部と垂直部からなる略Ｌ字形断面形状を有し、水平部の上面に滑り止めの多数の凹凸条部が形成され、さらに前記水平部の上下後端に張出部を一体に形成された緩衝被覆部材と、上面に滑り止めの多数の凹凸条部を形成され、下後端に張出部を一体に形成された平形緩衝被覆部材と、前記マット本体部の裏面に設けた着脱用円盤止め具とから構成され、前記マット本体部の３側面を張出部が内側となるように略Ｌ字形断面形状の緩衝被覆部材の張出部と平形緩衝被覆部材の張出部とで接着したことを特徴とする。
【発明の効果】
【００３４】
本発明によれば、従来の横滑りを防止することができ、固着した氷や雪が割れやすくなり、水をはじき出すことができた。また、マットの取り付け及び取り外し等の着脱が容易になり、耐久性のある歩行路面滑り防止マットおよび階段用歩行路面滑り防止マットを提供することができる。
【発明を実施するための最良の形態】
【００３５】
実施の形態を、図面を参照して詳細に説明する。
【００３６】
図１は、第１の実施形態に基づく歩行路面滑り防止マットの平面図である。
（第１の実施形態）
この歩行路面滑り防止マット１は、上面に格子状に配置された滑り止めの多数の凸部１１の上に、さらに平面十字状の凸部１２を設けた弾性体からなるマット本体部１０と、斜面部２１の上面に滑り止めの多数の凹凸条部２４を設けたテーパー形緩衝被覆部材２０から構成される。マット本体部１０の４側面を４つのテーパー形緩衝被覆部材２０の張出部で挟み接着させている。
【００３７】
図２は、歩行路面滑り防止マット１のＡ−Ａ線断面図である。
【００３８】
弾性体からなるマット本体部１０は、表面ゴム層２（厚さ４．２５ｍｍ）、中間スポンジ層３（厚さ７ｍｍ）および裏面ゴムシート層４（厚さ１ｍｍ）の３層構造（マット全体の厚さ１２．２５ｍｍ）からなり、裏面ゴムシート層４には着脱用円盤止め具５が接着されている。着脱用の円盤止め具５は、あらかじめ路面７に埋め込んだ着脱用ネジ付アンカー６と掛止されている。
【００３９】
なお、着脱用円盤止め具５の構成及び着脱用ネジ付アンカー６との掛止については、図３で後述する。
【００４０】
歩行路面滑り防止マット１の素材は、特に限定されないが、表面ゴム層２および裏面ゴムシート層４としては、例えば、天然ゴム（ＮＲ）、スチレンブタジエンゴム（ＳＢＲ）、ブタジエンゴム（ＢＲ）、クロロプレンゴム（ＣＲ）、エチレンプロピレンゴム（ＥＰＤＭ）等のゴムポリマーに、耐寒性を付与するために、軟化剤を考慮し、通常の充填剤、架橋剤等の添加剤とともに加え、加工したものが挙げられる。
【００４１】
中間スポンジ層３としては、弾力性があり、一定の硬度であれば、その素材は特に限定されないが、製造しやすさの点では、上層のゴム材と同じ天然ゴム（ＮＲ）、スチレンブタジエンゴム（ＳＢＲ）、ブタジエンゴム（ＢＲ）、クロロプレンゴム（ＣＲ）、エチレンプロピレンゴム（ＥＰＤＭ）等のゴムポリマーに、発泡剤を通常の充填材、架橋剤等の添加剤とともに加え、発泡加工した発泡ゴムとするのが好ましい。
【００４２】
なお、中間スポンジ層３は、単独発泡であれば、水が簡単に内部に浸入しないため、内部で氷結し、中間スポンジ層３を破壊することが防げる。また、中間スポンジ層３は、踏み付け圧力で適宜に撓む程度の硬度があればよく、例えば、Ｈｓ１５〜４５の範囲の硬度を有するものが好ましい。中間スポンジ層３が、Ｈｓ１５より低い硬度であると足元が不安定になり、また、中間スポンジ層３が、Ｈｓ４５よりも高い硬度であるとスポンジ層の沈み込みが減り、氷を割る効果が減少する。さらに、好ましくは、Ｈｓ２０〜３０の範囲の硬度が望ましい。
【００４３】
マット本体部１０には、滑り止めのために、前記マット本体部１０の上面に格子状に配置された各凸部１１の形状が截頭円錐台形（厚さ１．５ｍｍ、底部の直径１９ｍｍ、上部の直径１６ｍｍ）であり、凸部間の間隔は１１ｍｍとし、等間隔に３×３の９個の凸部を１ブロックとして配列した。また、９個の凸部ブロック間の間隔を２１ｍｍとした。さらに凸部１１の上に平面十字状の凸部１２（長さ１３．５ｍｍ、高さ０．７５ｍｍ、幅１．５ｍｍ）を設けた。
【００４４】
表面ゴム層の上面に設けた滑り止めの多数の凸部形状を截頭円錐台形としたが、それ以外の任意の形状、例えば円柱形状、多角柱状、円錐形状、角錐形状等であると固着した雪や氷の破砕が十分に行われない。さらに、截頭円錐台形凸部の上に設けた平面十字状の凸部が靴の滑りを防止する効果がある。
【００４５】
滑り止めの截頭円錐台形凸部の上にさらに設けた凸部の平面形状を十字状としたが、截頭円錐台形凸部の表面が十字状の凸部のない平面であると水や氷が残るので滑りやすくなる。また、十字状の上端も平面であると上記と同様に滑りやすくなるので上端の断面形状は、三角錘やカマボコ型の形状であることが特に好ましい。
【００４６】
さらに、十字状の模様（平面形状）は、※、＊、＃、♯等の模様に比べて、截頭円錐台形凸部の表面に溜った水や氷を除去しやすい。また、十字状の模様は、成形型の低減や成型時に問題となる材料の型残りによる欠陥等、生産性低下を極力少なくすることに寄与する。
【００４７】
テーパー形緩衝被覆部材２０は、図２に示すように、弾性を備えた斜面部２１（斜度２９°以下、底部の長さ４９ｍｍ、高さ１３ｍｍ）と斜面部２１の後端の上下に延設され張出部２２，２３とを備えている。斜面部２１の上面には凹凸条部２４（凹部の幅２ｍｍ、凹部の深さ１．５ｍｍ、凸部の幅３ｍｍ、凸部の高さ１．５ｍｍ）が形成され、また斜面部２１の後端上下には、張出部２２，２３（上の張出部２２の厚さ１．５ｍｍ、上の張出部２２の長さ７ｍｍ、下の張出部２３の厚さ１ｍｍ、下の張出部２３の長さ１５ｍｍ）が一体に形成されている。次に、マット本体部１０の４側面は、４つのテーパー形緩衝被覆部材２０の各張出部２２，２３が嵌合され、両者は接着剤等で接着される。
【００４８】
テーパー形緩衝被覆部材２０は、マット本体部１０の端部の段差をゆるやかにすることで、ゴムマットの先端を足の先に引っ掛けて転倒する等を防止するためものである。また、マット本体部１０のみでは、マット本体部１０の中間スポンジ層３に水や雪が浸入すると、氷点下の時にはそれらが凍結してしまい、マット本体部１０の弾性が失われる。従って、テーパー形緩衝被覆部材２０は、マット本体部１０への水の浸入防止機能も兼ねている。
【００４９】
張出部２２，２３の厚みは、あまり薄いと、踏み付け時の圧力により、切断する可能性があるため、さらに好ましくは、斜面部２０全体の厚みの約１／１０〜３／１０程度がよい。
【００５０】
歩行路面滑り防止マット１に雪や氷が固着しても、踏み付け時の荷重で、スポンジ層３が撓むため、着氷雪が良好に割れて、着氷雪がマット本体部１０に固着し続けることはない。
【００５１】
図３は、着脱用円盤止め具を取り付ける状態を表わす図であり、（ａ）は円盤止め具を２個配置した場合の平面図で、差込口５ｃを設けた円盤型ゴム板５ａ（直径８０ｍｍ、厚さ２ｍｍ）にスリットを設けたステンレス製引っ掛け金具５ｂ（厚さ０．３ｍｍ、１辺４０ｍｍの四角形）を埋め込んだ円盤止め具５−２（厚さ０．３ｍｍ、円盤の直径８０ｍｍ）と円盤止め具５−１を差込口５ｃを逆方向に向けて配置した状態の平面図である。
【００５２】
着脱用円盤止め具５は、円盤型ゴム板５ａにステンレス製引っ掛け金具５ｂを埋め込み、その上に接着剤を付けて、ゴムマットを上からかぶせて接着させ取り付けられる。
【００５３】
この取り付け方法によれば、取り外しが簡単で突風でも飛ばされることがなく、盗難の心配もない。また、マットの表面をビス等で止めていないので安全で美感に優れており、施工も簡単に行える。
【００５４】
また、軟質弾性部材製マット本体部１０は、裏面にゴムシート４を一体的に形成しているので、スポンジ層３に部分的に水が含まれることが防止され、スポンジ層３の劣化を防止することができる。
【００５５】
着脱用円盤止め具５は、例えば、金属、プラスチック、熱可塑性エラストマーのいずれかで成形すればよく、材質は特に限定されない。
【００５６】
また、（ｂ）はアンカーとネジを各々２個配置した場合の断面図で、２個の着脱用ネジ付アンカー６−１，６−２を階段等に設けた断面図である。あらかじめ、階段等にアンカー６ｂが入る径の穴をあけ、穴にアンカー６ｂ（直径９ｍｍ、長さ２５ｍｍ）を取り付ける。次にネジ６ａ（直径１０ｍｍ、太さ６ｍｍ、長さ１１ｍｍ）を階段等の面に対してネジ６ａの頭が０．４〜０．５ｍｍ程度浮かせるようにアンカー６ｂに嵌め込む。
【００５７】
裏面ゴムシート層４に接着された円盤止め具５−１と円盤止め具５−２は、（ｂ）の矢印に示すように、互いに逆方向にスライドさせて着脱用ネジ付アンカー６−１と着脱用ネジ付アンカー６−２に嵌め込むと、引っ掛け金具５ｂがネジ６ａの頭と掛止する。
【００５８】
取り外しの際には、ゴムマットの弾性、曲がりを利用して着脱用円盤止め具５−１と着脱用円盤止め具５−２を矢印と反対方向にスライドさせて外す。着脱用円盤止め具５と着脱用ネジ付アンカー６は、スライドさせて掛止させているだけであるので、歩行路面滑り防止マット１の取り外しは容易である。
【００５９】
例えば、互いに差込口が外側に向く（互いの差込口が反対方向）ように設置する場合、ゴムマットの真中を撓ませて差込口にネジを通して、取り付ければ、ゴムマットが平らになる。
【００６０】
階段用マットとして使用する場合、主に階段のエッジ方向に力がかかることが多いことからエッジと反対方向（上段への立ち上がり部分）から差込口をエッジ方向に向け、すなわち同一方向に設置することでゴムマットを階段から下段の方へ引っ張る応力に対抗する。また、一方の差込口の方向と直角に設けてもよい。
【００６１】
着脱用円盤止め具５−２の差込口５ｃをいろいろな方向に変えることによって、使用するゴムマットの取り付け強度を増すことができる。
【００６２】
着脱用ネジ付アンカー６−２は、あらかじめネジ６ａが組み込まれているので、着脱用ネジ付アンカー６−２にゴミや泥が入ることはない。
【００６３】
図４は、階段用マット本体部１０の両短辺に接着させる平形緩衝被覆部材３０（厚さ１３ｍｍ、長さ３０ｍｍ）で、上面に滑り止めの複数の凹凸条部３１（表面の凹部幅２ｍｍ、深さ１．５ｍｍ、凸部の長さ３ｍｍ、高さ１．５ｍｍ）を設け、下後端に張出部３２を一体に形成したもので、階段用マット本体部１０の両短辺からの水または雪の浸入を防止する緩衝被覆部材である。
【００６４】
略Ｌ字断面形状の階段角部緩衝被覆部材２０を接着した階段用マット本体部１０の両短辺を平形緩衝被覆部材３０の張出部３２で挟み、接着剤等で接着させる。
（第２の実施形態）
図５は、階段用歩行路面滑り防止マット１００を階段８に載置した状態の斜視図で、階段用歩行路面滑り防止マット１００を階段８の踏み面に載置することにより、階段８の踏み面の前面角部が階段用歩行路面滑り防止マット１００の階段角部緩衝被覆部材４０で覆われるのみならず、階段８の踏み面の左右端部も平形の緩衝被覆部材３０で覆われるので、転倒時に外傷を受ける可能性がより低くなる。
【００６５】
さらに、マット本体部１０の左右に平形の緩衝被覆部材３０を接着することにより、階段用歩行路面滑り防止マット１００全体の強度を高めることができる。
【００６６】
図６は、階段用歩行路面滑り防止マット１００のＢ−Ｂ線断面図である。
【００６７】
マット本体部１０は、表面ゴム層２（厚さ４．２５ｍｍ）、中間スポンジ層３（厚さ７ｍｍ）および裏面ゴムシート層４（厚さ１ｍｍ）の３層構造（マット全体の厚さ１２．２５ｍｍ）からなり、裏面ゴムシート４には着脱用の円盤止め具５が接着されている。着脱用の円盤止め具５は、裏面ゴムシート層４に円盤型ゴム板を介して接着されている。
【００６８】
マット本体部１０には、滑り止めのために、該マット本体部１０の上面に格子状に配置された多数の凸部１１の形状が截頭円錐台形（厚さ１．５ｍｍ、底部の直径１９ｍｍ、上部の直径１６ｍｍ）であり、凸部間の間隔は１１ｍｍとし、等間隔に９個配列した。また、９個の凸部ブロック間の間隔を２１ｍｍとした。さらに凸部１１の上に平面十字状の凸部１２（長さ１３．５ｍｍ、高さ０．７５ｍｍ、幅１．５ｍｍ）を設けた。
【００６９】
階段角部緩衝被覆部材４０は、弾性体の垂直部４２（厚さ３ｍｍ、長さ１８ｍｍ）と水平部４１（厚さ１３ｍｍ、長さ３３ｍｍ）からなる略Ｌ字形状断面を有しており、水平部４１の上面に凹凸条部４５（凹部の幅２ｍｍ、凹部の深さ１．５ｍｍ、凸部の幅３ｍｍ、凸部の高さ１．５ｍｍ）があり、また水平部４１の後端には、上下に張出部４３，４４（上の張出部４３の厚さ１．５ｍｍ、上の張出部４３の長さ７ｍｍ、下の張出部４４の厚さ１ｍｍ、下の張出部４４の長さ１５ｍｍ）を設け、この張出部４３，４４でマット本体部１０を挟み、接着剤等で接着する。
【００７０】
本発明の階段角部緩衝被覆部材は、転倒時の身体に及ぼす衝撃を緩和するために弾性体で製造することが好ましい。このような弾性体としては、例えば、天然ゴム（ＮＲ）、スチレンブタジエンゴム（ＳＢＲ）、ブタジエンゴム（ＢＲ）、クロロプレンゴム（ＣＲ）、エチレンプロピレンゴム（ＥＰＤＭ）等のゴム系化合物や、スチレン系（ＳＢＣ）、塩ビ系（ＴＰＶＣ）、オレフィン系（ＴＰＯ）等の熱可塑性エラストマー（ＴＰＥ）の１種もしくはそれらの２種以上の組合せなどの素材が挙げられる。
【００７１】
略Ｌ字形状断面の階段角部緩衝被覆部材４０と平形の緩衝被覆部材３０は、マット本体部１０のみでは、マット本体部１０の中間スポンジ層３に水や雪が浸入すると氷点下の時には、それらが凍結してしまい、マット本体部１０の弾性が失われる。従って、略Ｌ字形状断面の階段角部緩衝被覆部材４０と平形の緩衝被覆部材３０は、マット本体部１０への水の浸入防止機能も兼ねている。
【００７２】
階段用歩行路面滑り防止マット１００に雪や氷が固着しても、踏み付け時の圧力で、スポンジ層３が撓むため、着氷雪が割れるため、着氷雪がマット本体部１０に固着し続けることはなかった。
【００７３】
また、マット本体部１０は、裏面にゴムシート層４を一体的に形成しているので、スポンジ層３に部分的に水が含まれることが防止され、スポンジ層３の劣化を防止することができる。
【００７４】
図７は、略Ｌ字形状断面の階段角部緩衝被覆部材４０と平形の緩衝被覆部材３０を、コの字状に一体成形したものの平面図である。略Ｌ字形状断面の階段角部緩衝被覆部材４０と平形の緩衝被覆部材３０を、コの字状に一体成形したものを、マット本体部１０に接着したものである。
【００７５】
略Ｌ字形状断面の階段角部緩衝被覆部材４０の張出部４４と、平形の緩衝被覆部材３０の張出部３２は、コの字形状の内側になるように成形されているので、この張出部にマット本体部１０を嵌合し、接着剤等で接着すればよい。
【００７６】
階段用歩行路面滑り防止マット１００は、略Ｌ字形状断面の階段角部緩衝被覆部材４０と平形の緩衝被覆部材３０を、コの字形状にあらかじめ一体成形するため、施工時の緩衝被覆部材の接着の手間を簡素化することができ、さらに階段用歩行路面滑り防止マット１００の美感を良くすることができた。
【実施例１】
【００７７】
本発明の階段用歩行路面滑り防止マット（截頭円錐台形の凸部形状）と図８で説明した従来の階段用歩行路面滑り防止マット（横溝形状）との表面形状での滑り試験を行った。試験方法は、２種類の異なる形状の表面をもつマット（表面ゴム層の厚さ４．２５ｍｍ、中間スポンジ層の厚さ７ｍｍ、裏面ゴムシート層の厚さ１ｍｍの３層構造で全体の厚さ１２．２５ｍｍ、大きさ１００×１００ｍｍ）を乾いた状態と濡れた状態で、道路（アスファルト）等の滑り状態を測定する機械、すなわち「スキッドレジスタンスメータ（英国製）」によって、摂氏２３度のゴム表面を４．５〜５インチ間に振り子（底部に特殊ゴム接着）を滑らせて、その抵抗を測定した。
【００７８】
【表１】
2005146785.tif 000003
【００７９】
【表２】
2005146785.tif 000004
【００８０】
【表３】
2005146785.tif 000005
【００８１】
本発明の階段用歩行路面滑り防止マット（截頭円錐台形の凸部形状）の滑り検査数値乾燥状態では、截頭円錐台形の凸部形状のマットの滑り抵抗が従来のマットに比べて若干高い値を示した。湿潤状態では、截頭円錐台形の凸部形状のマットの滑り抵抗が従来のマットに比べて著しく高い値を示した。すなわち、滑りにくいことが明らかになった。
【実施例２】
【００８２】
次に、大型冷蔵庫内において、冬季と同じ状況に想定した状態、すなわち（１）表面が水で濡れている状態（氷雪が除去された状態）、（２）粉砕氷がのっている状態、（３）粉雪がのっている状態（冷蔵庫内に付着している霜を散布）で、上記のマット表面の滑り試験を行った。試験方法は、室内温度１２℃、室内湿度８０％で５人の各々が夏靴、冬靴、長靴をはいて各マットの滑り具合を４段階の評価で採点した。
【００８３】
【表４】
2005146785.tif 000006
【００８４】
【表５】
2005146785.tif 000007
【００８５】
【表６】
2005146785.tif 000008
【００８６】
これらの結果から、いずれの状態でも本発明のマットは、３種類の靴をはいても従来のマットと比較して滑らないことが明らかになった。
【産業上の利用可能性】
【００８７】
本発明の歩行路面滑り防止マットは、冬季の寒冷地での歩行者の安全を確保するものであるが、高齢化社会を迎え、高齢者のひざや足首にやさしく、介護保険認定者の歩行に最適なゴムマットとして、その効果は大であり、さらにあらゆる床材の歩行路面滑り防止マットとして利用可能である。
【図面の簡単な説明】
【００８８】
【図１】本発明の第１の実施形態に基づく歩行路面滑り防止マットの部分平面図。
【図２】歩行路面滑り防止マットのＡ−Ａ線断面図。
【図３】本発明の着脱用円盤止め具を取り付ける状態を表わす図であり、（ａ）は円盤止め具を２個配置した場合の平面図、（ｂ）はアンカーとネジを各々２個配置した場合の断面図。
【図４】本発明の階段用歩行路面滑り防止マットの平形緩衝被覆部材の断面図
【図５】本発明の階段用歩行路面滑り防止マットを階段に載置した状態を示す斜視図。
【図６】本発明の第２の実施形態に基づく階段用歩行路面滑り防止マットでＢ−Ｂ線断面図。
【図７】本発明の階段用歩行路面滑り防止マットのコの字状に一体成形された緩衝被覆部材の平面図。
【図８】従来の階段用歩行路面滑り防止マットを階段に敷設した状を示す主要部断面図。
【符号の説明】
【００８９】
１  歩行路面滑り防止マット
２  表面ゴム層
３  中間スポンジ層
４  裏面ゴムシート層
５，５−１，５−２  着脱用円盤止め具
５’脱着用凸状部
５ａ  円盤型ゴム板
５ｂ  引っ掛け金具
５ｃ  差込口
６，６−１，６−２  着脱用ネジ付アンカー
６ａ  ネジ
６ｂ  アンカー
７  路面
８  階段
９  脱着用凹状部
１０  マット本体部
１１  凸部
１２  十字状の凸部
２０  テーパー形緩衝被覆部材
２１  斜面部
２２，２３，３２，４３，４４  張出部
２４，２５，３１，４５  凹凸条部
３０  平形緩衝被覆部材
４０  略Ｌ字断面形状の階段角部緩衝被覆部材
４１  水平部
４２  垂直部
１００  階段用歩行路面滑り防止マット
【図１】
2005146785.tif 000009
【図２】
2005146785.tif 000010
【図３】
2005146785.tif 000011
【図４】
2005146785.tif 000012
【図５】
2005146785.tif 000013
【図６】
2005146785.tif 000014
【図７】
2005146785.tif 000015
【図８】
2005146785.tif 000016